(57)【要約】  インライン補修のための金属製弁座を有するフロートボール弁は、弁体と、弁体に取り付けられたボールと、ボールに接続された弁棒と、弁体に接続されたボンネットとを有している。フロートボール弁は、弁体に取り付けられ、ボールに近接した第一弁座と、第二弁座と、第一弁座に近接し、第一弁座、第二弁座と直列に並んでいる、弁体に取り付けられた付勢リングと、付勢リングに近接して付勢リングと直列に並んでいる、弁体に取り付けられた弁座バイアスとを備えている。付勢リングはその上端に小さな穴を有し、下端に沿ってくさび状の面を有している。
2014516146.tif 000002
【特許請求の範囲】
【請求項１】
弁体と、前記弁体に取り付けられたボールと、前記ボールに接続された弁棒と、前記弁体に接続されたボンネットとを有したインライン補修のための金属製弁座を有するフロートボール弁において、
前記フロートボール弁は、前記弁体に取り付けられ、前記ボールに隣接した第一弁座と、
前記弁体に取り付けられ、前記ボールに隣接した第二弁座と、
前記第一弁座に近接し、前記第一弁座、第二弁座と直列に並んでいる、前記弁体に取り付けられた付勢リングと、
前記付勢リングに近接して前記付勢リングと直列に並んでいる、前記弁体に取り付けられた弁座バイアスと、
を備えていることを特徴とするフロートボール弁。
【請求項２】
前記フロートボール弁が、前記弁体に取り付けられ前記弁座バイアスに近接して前記弁座バイアスと直列に並んだ座金と、前記弁体に取り付けられ前記座金に近接して前記座金と直列に並んだ第二弁座バイアスをさらに有していることを特徴とする請求項１に記載のフロートボール弁。
【請求項３】
前記フロートボール弁が、前記第二弁座に近接して取り付けられた弁座インサートと、前記第二弁座バイアスに近接して取り付けられたスペーサをさらに有していることを特徴とする請求項２に記載のフロートボール弁。
【請求項４】
前記付勢リングが前記第一弁座と前記弁座バイアスとの間に挿入されることを特徴とする請求項１に記載のフロートボール弁。
【請求項５】
前記付勢リングが、中央通路と小さな穴を有していることを特徴とする請求項１に記載のフロートボール弁。
【請求項６】
前記小さな穴が貫通穴であることを特徴とする請求項５に記載のフロートボール弁。
【請求項７】
前記付勢リングがさらにくさび状面を有していることを特徴とする請求項５に記載のフロートボール弁。
【請求項８】
前記フロートボール弁がさらに前記弁体に取り付けられた第二弁座バイアスを有し、前記第二弁座バイアスの端部が、もう一方の前記弁座バイアスの対向する端部と当接していることを特徴とする請求項１に記載のフロートボール弁。
【請求項９】
前記フロートボール弁がさらに前記弁体に取り付けられた第二弁座バイアスを有し、前記第二弁座バイアスが、もう一方の前記弁座バイアスの上部に積み重ねられていることを特徴とする請求項１に記載のフロートボール弁。
【請求項１０】
前記フロートボール弁がさらに少なくとも前記ボールを取り除くための二次アクセス通路を有し、前記二次アクセス通路がオプションで弁アクセスボンネットによって閉じられることを特徴とする請求項１に記載のフロートボール弁。
【請求項１１】
前記二次アクセス通路が、前記弁体の底部を通って形成されていることを特徴とする請求項１０に記載のフロートボール弁。
【請求項１２】
前記二次アクセス通路が、前記弁体の側面を通って形成され、前記弁棒と直交していることを特徴とする請求項１０に記載のフロートボール弁。
【請求項１３】
前記フロートボール弁が、付勢リング取り外し治具をさらに有し、前記付勢リング取り外し治具がハンドルとかぎ状で先細りの端部を備えていることを特徴とする請求項１に記載のフロートボール弁。
【請求項１４】
前記小さな穴が、少なくとも２本の交差する通路で形成された穴であることを特徴とする請求項５に記載のフロートボール弁。
【請求項１５】
前記小さな穴が、前記付勢リングを引っかけるための凹状内面を備えていることを特徴とする請求項５に記載のフロートボール弁。
【請求項１６】
前記フロートボール弁が、前記付勢リングの上端を越えて突出したつまみをさらに有していることを特徴とする請求項５に記載のフロートボール弁。
【請求項１７】
前記フロートボール弁が、前記弁座バイアスに近接して前記弁体に取り付けられた第二弁座バイアスをさらに有し、
前記付勢リングが、前記第一弁座と前記弁座バイアスとの間に挿入され、
前記付勢リングが、中央通路と小さな穴を形成し、
前記付勢リングがさらにくさび状の面を有していることを特徴とする請求項１に記載のフロートボール弁。
【請求項１８】
金属製弁座を有するフロートボール弁をインラインで付勢と補修をするために用いられる装置であって、
流路としての中央通路を形成した球状体を有し、
前記球状体が、その一端に小さな穴と、対向する他端に沿ってくさび状面とを形成し、
前記くさび状面が、少なくとも１つの先細りの縁部を有していることを特徴とする装置。
【請求項１９】
前記小さな穴が貫通穴であることを特徴とする請求項１８に記載の装置。
【請求項２０】
金属製弁座を有するフロートボール弁をインラインで補修するための方法であって、
前記フロートボール弁の弁体へのアクセス通路を開放するステップと、
前記弁体から付勢リングを取り外すステップと、
前記弁体に取り付けられたボールを取り外すステップと、
前記ボールを前記弁体の元の位置に戻すステップと、
前記付勢リングを前記弁体に取り付けられた第一弁座と弁座バイアスとの間に割り込ませることによって、前記付勢リングを元の位置に戻すステップと、
からなる方法。
【発明の詳細な説明】
【技術分野】
【０００１】
本出願は、インライン修理可能な金属製弁座を有するフロートボール弁に関する。
【背景技術】
【０００２】
産業界（例えば蒸気又は超高温蒸気を導入するラインで用いるような電力産業や、精錬業など）において、ボール弁は周知である。ボール弁において、貫通した開口を有するボールが弁の流路に置かれている。このボールは弁体を貫通した弁棒によって回転することができる。弁棒は、ボールを貫通する開口が流路と一直線になる開放位置から、ボールの硬い部分が流路と合致した閉鎖位置まで、このボールを回転することができる。このボールと、弁内でこのボールをシールするボールシートの少なくとも一部とが、弁の流路を通って取り付け、取り外すことができる。
【発明の概要】
【発明が解決しようとする課題】
【０００３】
従って、弁内のボール及び／又はボールシートを補修及び／又は元に戻すために、弁は少なくとも部分的に配管から取り外す必要がある。ボール弁をインラインに維持したままで、即ち配管と結合したままで、効率的にメンテナンスし補修することができるボール弁が求められている。
【課題を解決するための手段】
【０００４】
インライン補修のための金属製弁座を有するフロートボール弁は、弁体と、前記弁体に取り付けられたボールと、前記ボールに接続された弁棒と、前記弁体に接続されたボンネットとを有している。このフロートボール弁は、さらに前記弁体に取り付けられ、前記ボールに隣接した第一弁座と、前記弁体に取り付けられ、前記ボールに隣接した第二弁座と、前記第一弁座に近接し、前記第一、第二弁座と直列に並んでいる、前記弁体に取り付けられた付勢リングと、前記付勢リングに近接して前記付勢リングと直列に並んでいる、前記弁体に取り付けられた弁座バイアスとを有している。前記付勢リングは、その上端に小さな穴と、下端に沿ったくさび状面とを有している。
【図面の簡単な説明】
【０００５】
【図１】図１はボール弁の概略部分断面斜視図である。
【図２】図２はボール弁の分解斜視図である。
【図３】図３はボール弁の断面斜視図である。
【図４】図４はボール弁の別の実施例の概略部分断面斜視図である。
【図５】図５は図４の実施例のボール弁の分解斜視図である。
【図６】図６は図４の実施例の別の概略斜視図である。
【図７】図７は付勢リングの一実施例の立面図である。
【図８】図８は図７の実施例の側面図である。
【図９】図９は付勢リング取り外し治具の一実施例の概略図である。
【図１０】図１０は下部からの部品取り付け取り外しの実施例を示す図である。
【発明を実施するための形態】
【０００６】
以下の記述は、本発明の対象となる技術を具体化する例示的な装置、方法、技術、及び取扱い手順を含んでいる。しかし、記載された実施例はこれらの具体的な詳細なしに実行できることが理解される。
【０００７】
図１はインラインフロートボール弁１００の部分断面概略図である。このボール弁１００は開放位置を示しており、弁１００を通る流路１０２は流体が通って流れるのを許容している。この弁１００は、ボール１０４、第一弁座１０６（又はばね弁座）、第二弁座１０８（又は主封止弁座）、弁座バイアス１１０、弁棒１１２、２つのコネクタ端部１１３、及びボンネット１１４を有している。ボール１０４は、開放位置を示している。開放位置において、装置１１６は、流体が流路１０２を介して弁１００を通って流れるのを許容する。閉鎖位置において、ボール１０４は９０度回転し、それによってボール１０４の固体部分で第一弁座１０６及び／又は第二弁座１０８に対して流路１０２を密閉する。弁棒１１２は、弁体１１８の進入路１２０を通って弁体１１８を貫通している。ボール１０４を開放位置と閉鎖位置の間で作動させるためのアクチュエータ（図示せず）が弁棒１１２と結合している。図示のコネクタ端部１１３は、配管（図示せず）と溶接されるように構成されているが、当然のことながら、コネクタ端部１１３は、突き合わせ溶接、ソケット溶接、フランジ上のボルト等の、本発明を限定するものでないあらゆる適切な接続方法で接続することができる。
【０００８】
以下に詳細を記載するが、図１に示すように、コネクタ端部１１３が配管系と結合されると、進入路１２０は、ボール１０４、第一弁座１０６、第二弁座１０８、及び／又は弁座バイアス１１０の弁１００からの取り外しを許容する。例えば、第一弁座１０６と第二弁座１０８は、周期表に基づいたあらゆる金属から形成することができる。
【０００９】
ボンネット１１４は、進入路１２０に近接して弁１００に固定されるように構成されている。ボンネット１１４は、（例えばガスケットのような）封止部材１２１によって、弁棒１１２がボール１０４にアクセスするのを許容しながら、進入路１２０を密閉する。ボンネット１１４は、アクチュエータ部１２２とバルブ部１２４を有している。アクチュエータ部１２２は、アクチュエータをボンネット１１４と、そしてそれによって弁棒１１２と結合させるように構成されている。バルブ部１２４は、進入路１２０を密閉しながらボンネット１１４を弁１００に固定するように構成されている。バルブ部１２４は、進入路係合部１２６と、１つ以上のコネクタ１２８と、弁棒用開口１３０とを有している。進入路係合部１２６は、進入路１２０内で部分的に固定されており、それによって実質的に流体が流路１０２から流出するのを防いでいる。さらに、封止手段を金属リング１３２及び／又は封止部材１２１の下に設けて、流体が進入路１２０から流出するのを防いでいる。図示のように、１つ以上のコネクタ１２８は、複数のナットとボルトであって、ボンネット１１４を弁１００に固定している。
【００１０】
弁棒用開口１３０は、ボンネット１１４のバルブ部１２４の開口であって、弁棒１１２がそこを通るのを許容している。一個又は複数のベアリング１３４も弁棒用開口１３０に設けられて、ボンネット１１４を通る弁棒１１２の密封及び／又は回転の支持を補助している。
【００１１】
図示のように、第一弁座１０６は座面１３６ａとバイアス係合部１３８を有する実質的にリング状の部材である。座面１３６ａはボール１０４の外面と係合するように構成されており、流体が座面１３６ａとボール１０４の間を通るのを防いでいる。バイアス係合部１３８は、弁座バイアス１１０と係合するように構成されている。弁座バイアス１１０は、第一弁座１０６をボール１０４に封止係合態様で付勢する。弁座バイアス１１０はワンピースの分割リングであって、及び／又は複数の部品を有している。例えば、弁座バイアス１１０は分割された二つの部品を有することができる。各部品を引き離すことで、弁座バイアス１１０を取り付け及び／又は取り外すことができる。第一弁座１０６は肩部１４０も有している。肩部１４０は弁座バイアス１１０を圧縮するために作業者が第一弁座１０６を取り外し治具３００（図３参照）と係合させるのを許容する。詳細は以下に記載するが、弁座バイアス１１０を圧縮すると、ボール１０４を弁１００から取り外すことができる。弁座バイアス１１０は、１つ以上の皿ばね、１つ以上の波形リング、１つ以上のコイルばね、１つ以上の波形ばね、１つ以上のエラストマー部材、１つ以上の板ばね、又はこれらの組み合わせなどを含むが、これに限定されるものではないあらゆる適切な種類の付勢部材である。加えて、又は代替的に、例えば波形リング３０１（図３参照）のような第一弁座１０６を付勢するための第二弁座バイアスを設けてもよい。スペーサ１４１が弁座バイアス１１０を波形リング３０１から分離することもできるし、波形リング３０１が直接弁座バイアス１１０と係合してもよい。スペーサ１４１は固定された剛直な部材、浮遊リング、又は他の適切な部材である。図では第二弁座バイアスは波形リング３０１として示しているが、当然のことながら、いくつかの皿ねじ（例えば４つの連続した皿ねじ）、１つ以上のコイルばね、複数の波形ばね又は波形リング、１つ以上のエラストマー部材、１つ以上の板ばね、又はこれらの組み合わせなどを含むが、これに限定されるものではないすべての適切な部材又はその組み合わせが、第二弁座バイアスとして用いることができる。例えば波形リング３０１のような第二弁座バイアスは、圧縮によってより大きな距離の第一弁座１０６の移動を許容する。
【００１２】
図示のように、第二弁座１０８は座面１３６ｂと基部１４２を有する略円筒状の部材である。座面１３６ｂはボール１０４の外面と係合するように構成されており、流体が座面１３６ｂとボール１０４の間を通るのを防いでいる。基部１４２は弁１００の内側肩部１４４と強固に係合するように構成されている。基部１４２には、ステンレス鋼の溶接で形成した層又は第二弁座１０８と一体に結合したバッファを含めることができる。第二弁座１０８は、弁１００から取り外されるまで、固定された状態を維持するように構成されている。
【００１３】
図２に（図１に示した）ボール１０４、（図１に示した）第一弁座１０６、及び／又は（図１に示した）第二弁座１０８を取り外す準備のために、ボンネット１１４が取り外された弁１００を示す。（図１に示した）ボール１０４を取り外すために、１つ以上のコネクタ１２８が結合を解かれて、ボンネット１１４を弁１００から取り外せるようになっている。図示のボンネット１１４は、上部ボンネットフランジ２００を有している。ボンネット１１４を弁１００から取り外すと、弁１００の進入路１２０にアクセス可能になる。進入路１２０は、作業者がボール１０４、第一弁座１０６、及び／又は第二弁座１０８にアクセスして取り外すことを許容する。
【００１４】
図３にボール１０４、第一弁座１０６、及び／又は第二弁座１０８を取り外すように構成された（即ち、図１、２に示されたボンネット１１４が取り外された）弁１００を示す。取り外し治具３００が弁１００の上面３０２に取り付けられている。取り外し治具３００は、ボール１０４、第一弁座１０６、及び／又は第二弁座１０８の取り外しを支援する。
【００１５】
取り外し治具３００は、駆動部材３０４、アクチュエータ３０６、複数のフレーム部材３０８、及び支持ロッド３１０を有している。図示のように、フレーム部材３０８はそれぞれ開放部３１２、支持部材３１３、及び接続部３１４を有している。開放部３１２は進入路１２０に進入するように構成されている。開放部３１２は、進入路１２０の内周３１６に進入して係合する特定の寸法を有している。内周３１６と係合することによって、アクチュエータ３０６は駆動部材３０４を作動させるためのより大きなてこの作用を有して、第一弁座１０６の係合を解くことができる。支持部材３１３は開放部３１２と接続部３１４を結合している。図示のように、支持部材３１３は略矩形の支持部材である。接続部３１４は支持ロッド３１０を収容して、フレーム部材３０８を互いに連結している。接続部３１４はフレーム部材３０８の開口部である。支持ロッド３１０は、フレーム部材３０８間の距離を弁１００の寸法及び／又は進入路１２０の寸法に基づいて調節できるように、余分な長さを有している。
【００１６】
図示のアクチュエータ３０６はレバーであって、回転することで駆動部材３０４を動かす。レバーが枢動ピン３１８周りに回転すると、駆動部材３０４が第一弁座１０６に向かって揺動する。駆動部材３０４は、肩部１４０と係合するための係合部３２０を有している。係合部３２０は、駆動部材３０４を第一弁座１０６に、又は直接弁座バイアス１１０に固定するように構成されている。駆動部材３０４の係合部３２０が第一弁座１０６又は弁座バイアス１１０に固定されると、レバーの継続した動作が弁座バイアス１１０を圧縮する。弁座バイアス１１０が圧縮されると、第一弁座１０６はボール１０４に対して力を加えなくなり、ボール１０４をつかんで弁１００から取り外すことができる。ボール１０４を弁１００から取り外すと、取り外し治具３００を弁１００から取り外して、第一弁座１０６及び／又は第二弁座１０８を弁１００から取り外すことができるようになる。次にボール１０４、第一弁座１０６、第二弁座１０８、及び／又は弁座バイアス１１０は、修理及び／又は交換され、及び／又は流路１０２内又はボール１０４と弁座１０６，１０８が抜けた空洞内で追加のメンテナンスが行われる。
【００１７】
図４ないし６は、インラインフロートボール弁１００ａの別の実施例を示す斜視図（図４は部分断面図）である。図示の弁１００ａは閉鎖位置にあり、弁１００ａを通る流路１０２ａは流体が通るのを許容しない。例えば、弁１００ａはボール１０４ａ、第一弁座１０６ａ（又はばね弁座）、第二弁座１０８ａ（又は主封止弁座）、弁座インサート１０９ａ（例えば錆防止層としてのステンレス鋼リング又はステンレス鋼溶接で形成したシールド層又は第二弁座１０８ａと一体に結合したバッファ）、付勢リング４００、第一弁座バイアス１１０ａ、環状リング又は座金１１１ａ、第二弁座バイアス１１０ｂ、スペーサ１４１ａ、弁棒１１２ａ、２つのコネクタ端部１１３ａ、及びボンネット１１４ａを有している。図示のボール１０４ａは閉鎖位置にある。閉鎖位置において、ボール１０４ａはボール１０４ａの固体部分で第一弁座１０６ａ及び／又は第二弁座１０８ａに対して流路１０２ａを密閉する。開放位置において、ボール１０４ａは例えば９０度回転して、開口１１６ａが流体が流路１０２ａを介して弁１００ａを通って流れるのを許容する。弁棒１１２ａは、弁体１１８ａの進入路１２０ａを通って弁体１１８ａを貫通している。ボール１０４ａを開放位置と閉鎖位置の間で作動させるためのアクチュエータ（図示せず）が弁棒１１２ａと結合している。図示のコネクタ端部１１３ａは、配管（図示せず）と溶接されるように構成されているが、当然のことながら、コネクタ端部１１３ａは、突き合わせ溶接、ソケット溶接、フランジ上のボルト等の、含まれるが本発明を限定するずしものでないあらゆる適切な接続方法で接続することができる。
【００１８】
以下に詳細を記載するが、図５，６に示すように、コネクタ端部１１３ａが配管系と結合されると、進入路１２０ａは、ボール１０４ａ、第一弁座１０６ａ、第二弁座１０８ａ、第一弁座バイアス１１０ａ及び／又は第二弁座バイアス１１０ｂの弁１００ａからの取り外しを許容する。例えば、第一弁座１０６ａと第二弁座１０８ａは、金属から形成することができる。
【００１９】
ボンネット１１４ａは、進入路１２０ａに近接して弁１００ａに固定されるように構成されている。ボンネット１１４ａは、（例えばガスケット又は金属封止ガスケットのような）封止部材１２１ａによって、弁棒１１２ａがボール１０４ａにアクセスするのを許容しながら、進入路１２０ａを密閉する。ボンネット１１４ａは、アクチュエータ部１２２ａとバルブ部１２４ａを有している。アクチュエータ部１２２ａは、アクチュエータをボンネット１１４ａと、そしてそれによって弁棒１１２ａと結合させるように構成されている。バルブ部１２４ａは、進入路１２０ａを密閉しながらボンネット１１４ａを弁１００ａに固定するように構成されている。バルブ部１２４ａは、進入路係合部（図４ないし６に図示せず）と、１つ以上のコネクタ１２８ａと、弁棒用開口１３０ａとを有している。進入路係合部（図４ないし６に図示せず）は、進入路１２０ａ内で部分的に固定されており、それによって実質的に流体が流路１０２ａから流出するのを防いでいる。さらに、封止手段１３２ａ及び／又は封止部材１２１ａを設けて、流体が流路１０２ａから流出するのを防いでいる。図示のように、１つ以上のコネクタ１２８ａは、複数のナットとボルトであって、ボンネット１１４ａを弁１００ａに固定している。
【００２０】
弁棒用開口１３０ａは、ボンネット１１４ａのバルブ部１２４ａの開口であって、弁棒１１２ａがそこを通るのを許容している。一個又は複数のベアリング１３４ａも弁棒用開口１３０ａに設けられて、ボンネット１１４ａを通る弁棒１１２ａの密封及び／又は回転の支持を補助している。
【００２１】
図示のように、第一弁座１０６ａは座面１３６ａと付勢部１３８ａを有する実質的にリング状の部材である。座面１３６ａはボール１０４ａの外面と係合するように構成されており、流体が座面１３６ａとボール１０４ａの間を通るのを防いでいる。付勢部１３８ａは、付勢リング４００（又は代替的構成において弁座バイアス１１０又は座金１１１ａ）と係合するように構成されている。付勢リング４００が一連の封止部材４０２（一連の封止部材４０２は、ボール１０４ａ、第一弁座１０６ａ、第二弁座１０８ａ、付勢リング４００の、第一弁座バイアス１１０ａ及び／又は第二弁座バイアス１１０ｂの１つ以上とのある組み合わせである。）に直列に挿入されると、付勢リング４００はボール１０４ａと第一弁座１０６ａ、第二弁座１０８ａのそれぞれとの間の封止を付勢する。換言すれば、付勢リング４００が一連の封止部材４０２に挿入されると、第一弁座バイアス１１０ａ及び／又は第二弁座バイアス１１０ｂの１つ以上が、第一及び第二弁座１０６ａ、１０８ａをボール１０４ａに封止係合態様で付勢する。
【００２２】
図７、８を参照して、付勢リング４００の実施例を示す。付勢リング４００は流路１０２ａの一部を形成する中央通路４０４を構成する本体４０３を有している。付勢リング４００はさらに、付勢リング取り外し治具５００で付勢リング４００を操作し、把握し、及び／又は引っかけるために用いる小さな穴４０６を構成している（操作し、把握し、及び／又は引っかけるために用いるフックした先細り端部５０４を操作するためにハンドル５０２を用いる付勢リング取り外し治具５００の一実施例を表現した図９参照）。小さな穴４０６は貫通穴であってもなくてもよく、直線状の穴でも２つの通路が交差して形成された穴でもよく、把握し引っかけるために最良に適した凹状内面を含む様々な形状を有するように形成されていてもよく、てこで動かすのに適した表面を有するように形成されてもよい。付勢リング４００は１つ以上の先細り縁部４０８（例として、１０度のテーパーがついた２つを示す）を、好ましくは下端４１０に沿って有している。本実施例において、付勢リング４００は一連の封止部材４０２への挿入とそこからの取り外しのためのくさび状面４１６を形成する先細り縁部４０８によるくさび状素子を形成している。付勢リング４００は、くさび状面４１６無しに構成することもできる。付勢リング４００は他の形状で構成することもでき（図７に示す丸い外形の構成以外の卵型などの形状）、上端４１２を越えて突出するつまみを有することもできる（そのつまみは小さな穴４０６を収容する）。付勢リング４００は、第一弁座１０６ａより大きな半径で突出した肩部４１４（図６参照）も有することができる。この肩部４１４は、第一弁座バイアス１１０ａ及び／又は第二弁座バイアス１１０ｂを操作し又は圧縮するために、又は小さな穴４０６の位置決めを補助するために、作業者が付勢リング４００を操作し又は取り外し治具５００（図９参照）と係合させることを許容する。付勢リング４００は、あらゆる適切な材料で構成することができる（ほんの一例として、ステンレス鋼）。
【００２３】
取り外し治具５００は、つかむための人間の手や、一般的なねじ回しや、ねじ付き治具を含む、取り外すために用いることのできるあらゆる治具であってよい。
【００２４】
第一及び／又は第二弁座バイアス１１０ａ、１１０ｂは、１つ以上の皿ばね、１つ以上の波形リング、１つ以上のコイルばね、１つ以上の波形ばね、１つ以上のエラストマー部材、１つ以上の板ばね、又はこれらの組み合わせなどを含むが、これに限定されるものではないあらゆる適切な種類の付勢部材である。第二弁座バイアス１１０ｂは、第一弁座１０６ａを付勢するためのオプションであって、もし除外される場合には、座金１１１ａも除外される。座金１１１ａはオプションであって（即ち除外可能で）、第一弁座バイアス１１０ａを第二弁座バイアス１１０ｂから切り離す。第一弁座バイアス１１０ａは直接第一弁座１０６ａと係合可能で、その場合付勢リング４００は第一弁座バイアス１１０ａの反対側に置かれる。スペーサ１４１はオプションで（即ち省略可能で）、もし含まれた場合には、固定した剛直な部材、浮遊リング、又は他の適切な素子である。第二弁座バイアス１１０ｂは、圧縮によってより大きな距離の第一弁座１０６の移動を許容し、付勢リング４００の挿入／取り外しを許容する。２つ以上の弁座バイアスを一連の封止部材４０２に実装することができる。
【００２５】
図１０に下部からの部品取り付け取り外しができるインラインフロートボール弁１００ｂの実施例を示す。弁１００ｂは閉鎖位置にあり、弁１００ｂを通る流路１０２ｂは流体が通るのを許容しない。弁棒１１２ｂは、弁体１１８ｂの進入路１２０ｂを通って弁体１１８ｂを貫通している。下部からの部品取り付け取り外しができるインラインフロートボール弁１００ｂは、弁体１１８ｂから下部を通してボール１０４ｂ、第一弁座１０６ｂ、及び第二弁座１０８ｂを取り外すことができ、例えば弁座インサート１０９ｂ（例えば錆防止層としてのステンレス鋼リング又はステンレス鋼溶接で形成したシールド層又は第二弁座１０８ｂと一体に結合したバッファ）、付勢リング４００ｂ、第一弁座バイアス１１０ｃ、環状リング又は座金１１１ｂ、第二弁座バイアス１１０ｄ、及び／又はスペーサ１４１ｂを含めることができる。弁アクセスボンネット１２４ｂは、上述の部品を取り付け取り外しするために二次アクセス通路を通って弁体１１８ｂの底部４２０を介してのアクセスを許容するように構成されている。ボールや弁座を取り外すためのインラインフロートボール弁１００ｂの実施例は、例えば弁アクセスボンネット１２４ｂを９０度回転することで、図１０に似た横方向からの部品取り付け取り外しができる構成とすることもできる。
【００２６】
様々な実施例を記載したが、これらの実施例は例示的なものであって、本発明の範囲はこれらによって限定されるものではない。多くの変形、改良、付加、及び改善が可能である。例えば、ここで用いた技術は配管システムのために用いられるすべての弁に適用できる。
【００２７】
複数の事例が、ここに単一の事例として記載された部品、操作、又は構造として提供されている。一般に、例示的な構成における別個の構成要素として表現された構造や機能は、組み合わされた構造又は構成要素として実施できる。同様に、単一の構成要素として表現された構造や機能は、別々の複数の構成要素として実施できる。これら及び他の変形、改良、付加、及び改善は、本発明の範囲内である。
【図１】
2014516146.tif 000003
【図２】
2014516146.tif 000004
【図３】
2014516146.tif 000005
【図４】
2014516146.tif 000006
【図５】
2014516146.tif 000007
【図６】
2014516146.tif 000008
【図７】
2014516146.tif 000009
【図８】
2014516146.tif 000010
【図９】
2014516146.tif 000011
【図１０】
2014516146.tif 000012
【国際調査報告】
2014516146.tif 000013
2014516146.tif 000014